(57)【要約】【課題】遮音壁の湾曲した部分にも水を均一に噴射できるとともに、遮音壁が多少高くてもその上端部分にも水を噴射して清掃することのできる清掃車輌を提供する。【解決手段】ポンプの駆動により流体タンク３の流体を複数の洗浄ノズル４１、４２から噴射してこの流体により立設された壁体Ａを清掃する清掃車輌において、複数の洗浄ノズル４１、４２のうち少なくとも一部の洗浄ノズルの噴射方向が可変になされている。複数の洗浄ノズルを取付けた支持体４７ｄが昇降自在に構成されるとともに、該支持体４７ｄが屈折自在に構成され、支持体４７ｄの屈折動作により洗浄ノズル４１、４２の噴射方向が可変になされている。【選択図】  図３
2005068678.tif 000002
【特許請求の範囲】
【請求項１】
ポンプの駆動により流体タンクの流体を複数の洗浄ノズルから噴射してこの流体により立設された壁体を清掃する清掃車輌において、
前記複数の洗浄ノズルのうち少なくとも一部の洗浄ノズルの噴射方向が可変になされたことを特徴とする清掃車輌。
【請求項２】
前記複数の洗浄ノズルを取付けた支持体が昇降自在に構成されるとともに、該支持体が屈折自在に構成され、支持体の屈折動作により洗浄ノズルの噴射方向が可変になされたことを特徴とする請求項１記載の清掃車輌。
【発明の詳細な説明】
【技術分野】
【０００１】
本発明は、例えば、自動車道路の遮音壁を清掃する清掃車輌に関するものである。
【背景技術】
【０００２】
一般に、自動車道路などの側方に設置されている遮音壁（壁体）は、排ガスや砂塵等で汚れるので、美観や機能を回復する上で、定期的に清掃する必要がある。そのため、遮音壁を洗浄する洗浄ノズルを備えた清掃車輌を用いて、遮音壁を清掃することが行われている。
【０００３】
この清掃車輌は、具体的には、走行しながらポンプの駆動により供給経路を通じて水タンクから吸い込んだ水（流体）を所定圧にして洗浄ノズルから遮音壁に噴射することで、当該遮音壁の清掃を行っている（例えば、特許文献１参照）。
【特許文献１】特開平７−２６８８２３号公報（図５）
【発明の開示】
【発明が解決しようとする課題】
【０００４】
しかしながら、このような清掃車輌では洗浄ノズルを上下に複数本配置してはいるものの、その噴射方向が全て水平方向になっている。従って、例えば上端部分が道路の内側に湾曲して形成されている遮音壁の場合、この湾曲した上端部分に対して水平方向からの水の噴射だけしか行えないため、当該上端部分に水を均一に噴射することができず清掃を十分に行えないという問題があった。また、洗浄ノズルの最上位置よりも遮音壁が高い場合、当該遮音壁の上端に水を噴射することができず、遮音壁の高い部分に対しては清掃そのものを行えないという問題があった。
【０００５】
本発明は、上記問題点に鑑みてなされたもので、その目的とするところは、洗浄ノズルからの水の噴射方向を可変にすることで、遮音壁の湾曲した部分にも水を均一に噴射できるとともに、遮音壁が多少高くてもその上端部分にも水を噴射して清掃することのできる清掃車輌を提供することにある。
【課題を解決するための手段】
【０００６】
上記の目的を達成するため、請求項１に係る発明の清掃車輌は、ポンプの駆動により流体タンクの流体を複数の洗浄ノズルから噴射してこの流体により立設された壁体を清掃する清掃車輌において、前記複数の洗浄ノズルのうち少なくとも一部の洗浄ノズルの噴射方向が可変になされたものである。
【０００７】
請求項２に係る発明の清掃車輌は、前記複数の洗浄ノズルを取付けた支持体が昇降自在に構成されるとともに、該支持体が屈折自在に構成され、支持体の屈折動作により洗浄ノズルの噴射方向が可変になされたものである。
【発明の効果】
【０００８】
本発明によれば、複数の洗浄ノズルのうち少なくとも一部の洗浄ノズルの噴射方向を可変にしたことで、遮音壁の湾曲面に対して略直交する方向から均一に噴射することができ、これにより上記湾曲面に対しても平面部分と同様に綺麗に効率良く清掃することができる。
【０００９】
また、遮音壁が最上位置の浄ノズルの高さよりも高い場合でも、洗浄ノズルから斜め上方に流体を噴射することで、この遮音壁の上端にも流体を噴射でき、清掃を行うことができる。
【発明を実施するための最良の形態】
【００１０】
以下、本発明の実施の形態について図面を参照して説明する。
【００１１】
図１は清掃車輌の側面図、図２は同車輌の平面図、図３は同車輌の背面図である。
【００１２】
図１乃至図３において、清掃車輌１は、走行時において道路左側方に立設されている遮音壁Ａ（図３参照）を洗浄するものであって、その車枠１０は、前後方向に延びる左右一対のメインフレーム１１を備え、この各メインフレーム１１の前部にはキャビン１２が設けられるとともに、そのキャビン１２の下方に車輌駆動用の車輌エンジン（図示せず）が搭載されている。
【００１３】
上記各メインフレーム１１の後部上にはサブフレーム１３が設けられている。この各サブフレーム１３の前部上には、ポンプ駆動装置２が搭載されている。また、各サブフレーム１３の中央部上には水タンク３が搭載されているとともに、各サブフレーム１３の後部上にはノズル配索ユニット４が設けられている。そして、上記清掃車輌１のキャビン１２上部及び水タンク３の後端上部には、車輌の前方及び後方に向けて清掃作業中であることを報知する表示ランプ１４，１４が設けられている。つまり、ポンプ駆動装置２、水タンク３及びノズル配索ユニット４、並びに表示ランプ１４，１４により清掃作業装置が構成され、この清掃作業装置が上述したように車枠１０に搭載されている。
【００１４】
上記ポンプ駆動装置２は、図１及び図２に示すように車輌駆動用の車輌エンジンとは別途に駆動する独立エンジン２１と、上記水タンク３からの水を高圧洗浄ノズル４１（後述する）に対し高圧水を供給する高圧水ポンプ２２と、上記水タンク３からの水を低圧洗浄ノズル４２（後述する）に対し低圧水を供給する低圧水ポンプ（図示省略）と、後述するノズル昇降装置４７に対し圧油を供給する油圧ポンプ（図示省略）と、上記遮音壁Ａに洗浄液を吹き付ける洗浄液ユニット２３とを備えている。そして、独立エンジン２１、高圧水ポンプ２２、低圧水ポンプ及び油圧ポンプは車枠１０前部上に設けられたカバー材２ａ内に収容される一方、洗浄液ユニット２３はカバー材２ａの左側面前部に立設されている。
【００１５】
一方、上記水タンク３としては、例えば５４００リットルの水が収容可能な円筒形状を呈するものが用いられている。この水タンク３は、その軸線を前後方向に延ばした横置き状態で載置されている。
【００１６】
上記ノズル配索ユニット４は、図１及び図３に示すように、遮音壁Ａを高圧で洗浄する高圧洗浄ノズル４１，…と、遮音壁Ａを低圧で洗浄する低圧洗浄ノズル４２，…と、ハンドガン（図示せず）に対し上記高圧水ポンプ２２からの高圧水を供給する高圧水供給ホース（図示せず）を巻き取る小ホースリール４４（図２参照）と、図示しない配管内などを自走しながら洗浄する自走式ノズル（図示せず）に対し上記高圧水ポンプ２２からの高圧水を供給する高圧水供給ホース（図示せず）を巻き取る大ホースリール４６（図２参照）と、上記油圧ポンプから供給された圧油によって上記高圧洗浄ノズル４１及び低圧洗浄ノズル４２を移動させるノズル昇降装置４７とを備えている。
【００１７】
上記各高圧洗浄ノズル４１は、ノズル配索ユニット４の前部左側を上下方向に延びる枠状の前側チューブ４１ａに上下方向所定間隔置きに設けられている。また、上記各低圧洗浄ノズル４２は、ノズル配索ユニット４の後部左側を上下方向に延びる後側チューブ４２ａに上下方向に所定間隔置きに設けられている。そして、上記各高圧洗浄ノズル４１及び各低圧洗浄ノズル４２は、清掃車輌１の路肩走行時に車枠１０左側方の遮音壁Ａに対向する向き（左側方向き）に高圧水及び低圧水が噴射されるように構成されている。また、上記小ホースリール４４はノズル配索ユニット４の前部右側に、上記大ホースリール４６はノズル配索ユニット４の後部右側にそれぞれ配されている。
【００１８】
上記ノズル昇降装置４７は、車枠１０の左側部に固設された枠状の第１フレーム４７ａと、この第１フレーム４７ａに対し上下方向に昇降自在に支持された枠状の第２フレーム４７ｂと、この第２フレーム４７ｂを上記油圧ポンプから供給された圧油によって昇降させる昇降シリンダ４７ｃ（図３参照）と、上記第２フレーム４７ｂに対し車枠１０外側方に進退自在に支持された支持体としての第３フレーム４７ｄと、この第３フレーム４７ｄを上記油圧ポンプから供給された圧油によって進退させる進退シリンダ４７ｅとを備えている。
【００１９】
そして、上記第３フレーム４７ｄには、上記前側チューブ４１ａ及び後側チューブ４２ａがそれぞれ取付けられていて、上記進退シリンダ４７ｅによって前側チューブ４１ａの各高圧洗浄ノズル４１及び後側チューブ４２ａの各低圧洗浄ノズル４２を車枠１０外側方に進退移動させるようになっている。
【００２０】
従って、上記各高圧洗浄ノズル４１及び各低圧洗浄ノズル４２は、上記昇降シリンダ４７ｃによって第２フレーム４７ｂを昇降させることで第３フレーム４７ｄを介して昇降移動するとともに、進退シリンダ４７ｅによって上述のように車枠１０外側方に進退移動することができる。
【００２１】
さらに、上記前側チューブ４１ａ（各高圧洗浄ノズル４１）には、上記水タンク３から高圧水ポンプ２２により供給された高圧水が高圧水ホース（図示せず）を介して供給されているとともに、上記後側チューブ４２ａ（各低圧洗浄ノズル４２）には、低圧水ポンプにより供給された低圧水が低圧水ホース（図示せず）を介して供給されている。
【００２２】
このように構成された清掃車輌は、各高圧洗浄ノズル４１及び各低圧洗浄ノズル４２をノズル昇降装置４７により所定の高さ位置に配置するとともに、各高圧洗浄ノズル４１及び各低圧洗浄ノズル４２を車体１０の外側方に所定の長さ張り出して配置する他、各洗浄液ノズル２３ａを所定の高さに配置する。そして、この状態で所定速度で走行させながら、車輌の前方において洗浄液を遮音壁Ａに噴射するとともに、独立エンジン２１の駆動に伴う各ポンプの作動により車輌の後方において高圧水及び低圧水を遮音壁Ａに噴射することで、当該遮音壁Ａの清掃作業を行うようにしている。
【００２３】
ところで、このように構成された清掃車輌おいて、前記前側チューブ４１ａ及び後側チューブ４２ａ、並びに第３フレーム４７ｄは、その上端部分が屈折自在に設けられている。
【００２４】
具体的には、各高圧洗浄ノズル４１を取付けている前側チューブ４１ａを例に採って説明すると、この前側チューブ４１ａは、図４及び図５に示すように下チューブ４１ｂと、上チューブ４１ｃとに分割されるとともに、下チューブ４１ｂの上端に上チューブ４１ｃの下端がロータリージョイント４１ｄを介して回動自在に支持されており、上チューブ４１ｃが図５に示す垂直状態から図５に二点鎖線で示すように車輌の幅方向内側に向かって所定の角度屈折自在になされている。
【００２５】
また、図示はしないが前記各低圧洗浄ノズル４２を取付けている後側チューブ４２ａと第３フレーム４７ｄも上述した前側チューブ４１ａと同様な構成によって屈折自在に構成されている。
【００２６】
そして、例えば下チューブ４１ｂと上チューブ４１ｃとに亘って伸縮シリンダ（油圧もしくは空圧）４１ｅが連結されており、この伸縮シリンダ４１ｅの伸縮動作によって前側チューブ４１ａ及び後側チューブ４２ａ、並びに第３フレーム４７ｄを所定の角度屈折させるようにしている。
【００２７】
従って、このような屈折動作により各高圧洗浄ノズル４１及び各低圧洗浄ノズル４２の噴射方向を水平方向から上側斜め方向に可変にしている。
【００２８】
このように前側チューブ４１ａ及び後側チューブ４２ａを構成することによって、例えば図３に示すように上端部Ａ１が道路内側に湾曲して形成されている遮音壁Ａを清掃する場合には、各高圧洗浄ノズル４１及び各低圧洗浄ノズル４２をノズル昇降装置４７により所定の高さ位置に配置するとともに、各高圧洗浄ノズル４１及び各低圧洗浄ノズル４２を車体１０の外側方に所定の長さ張り出して配置する他、各洗浄液ノズル２３ａを所定の高さに配置する。そして、前側チューブ４１ａ及び後側チューブ４２ａの各上チューブ４１ｃを遮音壁Ａの上端部湾曲面に対峙するように屈折させ、この状態で所定速度で走行させながら、車輌の前方において洗浄液を遮音壁Ａに噴射するとともに、車輌の後方において各高圧洗浄ノズル４１及び各低圧洗浄ノズル４２から高圧水及び低圧水を遮音壁Ａに噴射することで、当該遮音壁Ａの清掃作業を行う。
【００２９】
このように各上チューブ４１ｃを遮音壁Ａの上端部Ａ１に対峙するように屈折させた状態で各高圧洗浄ノズル４１及び各低圧洗浄ノズル４２から遮音壁Ａの上端部Ａ１に高圧水及び低圧水を噴射することで、高圧水及び低圧水を上端部Ａ１の湾曲面に対して略直交する方向から均一に噴射することができる。これにより上端部Ａ１に対しても平面部分と同様に綺麗に効率良く清掃することができる。
【００３０】
また、遮音壁Ａが最上位置の高圧洗浄ノズル４１及び各低圧洗浄ノズル４２の高さよりも高い場合でも、前側チューブ４１ａ及び後側チューブ４２ａを屈折させて各高圧洗浄ノズル４１及び各低圧洗浄ノズル４２から斜め上方に高圧水及び低圧水を噴射することで、この遮音壁Ａの上端も高圧水及び低圧水を噴射でき、清掃を行うことができる。
【００３１】
なお、上述した実施形態は、あくまでも本発明の好適な実施態様を示すものであって、本発明はこれに限定されることなく、その範囲内において種々設計変更可能である。
【００３２】
例えば、前側チューブ４１ａ及び後側チューブ４２ａの屈折を伸縮シリンダで行うものについて述べたが、電動モータなど他のアクチュエータにより屈折させるようにしてもよい。
【００３３】
また、前側チューブ４１ａ及び後側チューブ４２ａの屈折動作によって各高圧洗浄ノズル４１及び各低圧洗浄ノズル４２による噴射方向を可変にしたものについて述べたが、各高圧洗浄ノズル４１及び各低圧洗浄ノズル４２自体を単独もしくは連繋させて上下に揺動させるようにすることで噴射方向を可変にすることもできる。
【図面の簡単な説明】
【００３４】
【図１】本発明の実施の形態に係わる清掃車輌の側面図である。
【図２】同清掃車輌の平面図である。
【図３】同清掃車輌の背面図である。
【図４】前側チューブを示す正面図である。
【図５】前側チューブを示す側面図である。
【符号の説明】
【００３５】
３  水タンク（流体タンク）
４１  高圧洗浄ノズル（洗浄ノズル）
４２  低圧洗浄ノズル（洗浄ノズル）
４７ｄ  第３フレーム（支持体）
Ａ  遮音壁（壁体）
【図１】
2005068678.tif 000003
【図２】
2005068678.tif 000004
【図３】
2005068678.tif 000005
【図４】
2005068678.tif 000006
【図５】
2005068678.tif 000007